(57)【要約】【課題】  本発明は、格子線表示に合わせて被写体を撮像した際に、撮像した被写体画像のズレを最小限とするカメラを提供することを目的とする。【構成】  本発明を適用したカメラは、被写体像光束を結像する撮像レンズ２と、撮像レンズ２を透過した被写体像光束を撮像する撮像部１１と、撮像レンズ２を透過した被写体像光束を観察可能な光学ファインダ（４、６、７、８）と、光学ファインダ（４、６、７、８）により観察される被写体像に重ねて、第一の直線又は列状の指標と、第二の直線又は列状の指標との少なくとも一方を表示可能な表示装置５と、前記第一の直線又は列状の指標と、前記第二の直線又は列状の指標とを排他的に表示させる制御部とを具備する。【選択図】  図１
2007086151.tif 000002
【特許請求の範囲】
【請求項１】
被写体像光束を結像する撮像レンズと、
前記撮像レンズを透過した被写体像光束を撮像する撮像部と、
前記撮像レンズを透過した被写体像光束を観察可能な光学ファインダと、
前記光学ファインダにより観察される被写体像に重ねて、第一の直線又は列状の指標と、第二の直線又は列状の指標との少なくとも一方を表示可能な表示装置と、
前記第一の直線又は列状の指標と、前記第二の直線又は列状の指標とを排他的に表示させる制御部とを具備することを特徴とするカメラ。
【請求項２】
請求項１に記載のカメラにおいて、前記表示装置は、さらに前記第一の直線又列状の指標に対して略垂直方向に表示される第三の直線又は列状の指標と、前記第二の直線又は列状の指標に対して略垂直方向に表示される第四の直線又は列状の指標とを表示可能であり、
前記制御部は、前記第一および前記第三の直線又は列状の指標を同時に表示する第一表示パターンと、前記第二および前記第四の直線又は列状の指標を同時に表示する第二表示パターンとを排他的に選択表示させることを特徴とするカメラ。
【請求項３】
請求項１乃至２に記載のカメラにおいて、
前記第一の直線又は列状の指標に対して前記第二の直線又は列状の指標は、異なる位置又は異なる角度で表示されることを特徴とするカメラ。
【請求項４】
カメラと撮像装置とコンピューターとからなるカメラシステムであって、
前記カメラは、
結像した被写体像を光電変換する撮像素子と、
前記撮像素子により光電変換した画像信号より画像データを作成する画像処理制御部と、
被写体を観察可能な光学ファインダ部と、
前記光学ファインダにより観察される被写体像に重ねて、第一の直線又は列状の指標と、第二の直線又は列状の指標との少なくとも一方を表示可能な表示装置と、
前記第一の直線又は列状の指標と、前記第二の直線又は列状の指標と排他的に表示させる表示制御部と、
前記コンピューターと電気通信可能に接続されるカメラ接続端子と、
前記接続端子へ、前記画像データを送信し、また前記接続端子より表示選択データを受信し、表示選択データを基に前記表示制御部により第一又は第二のいずれかの直線又は列状の指標を排他的に表示するよう設定するカメラ制御部とを具備し、
前記撮像装置は、
前記カメラの光学ファインダに表示された被写体像を撮像可能な撮像部と、
前記コンピューターと電気通信可能に接続された撮像装置接続端子と、
前記撮像装置接続端子に前記撮像部により撮像されたファインダ画像データを送信する制御部とを具備し、
前記コンピューターは、
前記カメラ接続端子および前記撮像装置接続端子と接続され電気通信可能なコンピュータ接続端子と、
前記カメラから受信した撮像素子画像データと、前記撮像装置から受信したファインダ画像データとに表示される被写体のズレ量を検出するコンピュータ画像処理部と、
前記ズレ量に応じて前記カメラの第一又は第二のいずれかの直線又は列状の指標を示す選択表示データを前記コンピュータ接続端子を経て前記カメラ接続端子に出力する制御部とを具備することを特徴とするカメラシステム。
【請求項５】
請求項１乃至３に記載のカメラにおいて、
被写体像を光電変換する撮像素子と、
コンピューターと電気通信可能に接続されるカメラ接続端子とを具備し、
前記制御部は、前記接続端子より表示選択データを受信し、表示選択データを基に第一又は第二のいずれかの直線又は列状の指標を排他的に表示するよう設定することを特徴とするカメラ。
【請求項６】
請求項５に記載のカメラにおいて、
前記制御部は、前記カメラ接続端子へ前記画像データを送信した後に、前記接続端子より表示選択データを受信し、該表示選択データを基に前記表示制御部により第一又は第二のいずれかの直線又は列状の指標を排他的に表示するよう設定することを特徴とするカメラ。
【発明の詳細な説明】
【技術分野】
【０００１】
カメラおよびこれを用いたカメラシステムに関する。
【背景技術】
【０００２】
撮像レンズから入射した被写体像光束をクイックリターンミラーによりフォーカシングスクリーンと撮像素子に分岐する一眼レフカメラ等においては、部品誤差や組立誤差等により、光学ファインダにより観察される被写体像と撮像画像とにずれが生じる場合がある。
【０００３】
また、光学ファインダにより観察される被写体像に撮影構図の基準となる格子線等を重ねて表示可能なカメラがある。
【発明の開示】
【発明が解決しようとする課題】
【０００４】
しかし、格子線表示が可能なカメラにおいて、光学ファインダ表示に示された格子線表示に合わせて被写体を水平にとらえ撮像した場合でも、上述したズレが僅かであっても生じていると実際に撮像された画像では被写体に傾きが生じてしまう問題がある。そこで、部品誤差や組立誤差等を考慮し、光学ファインダ等を調整可能とした一眼レフカメラもあるが、調整機構を設けるため、カメラが大型化し、コストも高くなる。また、製造時の精密な調整工程を含むため等作業コストも高くなる。
【０００５】
本発明は、基準線表示に合わせて被写体を撮像した際に、撮像した被写体画像のズレを最小限とするカメラを提供することを目的とする。
【課題を解決するための手段】
【０００６】
上記問題点を解決するために、本発明を適用したカメラは、被写体像光束を結像する撮像レンズと、前記撮像レンズを透過した被写体像光束を撮像する撮像部と、前記撮像レンズを透過した被写体像光束を観察可能な光学ファインダと、前記光学ファインダにより観察される被写体像に重ねて、第一の直線又は列状の指標と、第二の直線又は列状の指標との少なくとも一方を表示可能な表示装置と、前記第一の直線又は列状の指標と、前記第二の直線又は列状の指標とを排他的に表示させる制御部とを具備する。
【０００７】
さらに上記問題点を解決するために、本発明を適用したカメラと撮像装置とコンピューターとからなるカメラシステムは、結像した被写体像を光電変換する撮像素子と、
前記撮像素子により光電変換した画像信号より画像データを作成する画像処理制御部と、
被写体を観察可能な光学ファインダ部と、前記光学ファインダにより観察される被写体像に重ねて、第一の直線又は列状の指標と、第二の直線又は列状の指標との少なくとも一方を表示可能な表示装置と、前記第一の直線又は列状の指標と、前記第二の直線又は列状の指標と排他的に表示させる表示制御部と、前記コンピューターと電気通信可能に接続されるカメラ接続端子と、前記接続端子へ、前記画像データを送信し、また前記接続端子より表示選択データを受信し、表示選択データを基に前記表示制御部により第一又は第二のいずれかの直線又は列状の指標を排他的に表示するよう設定するカメラ制御部とを具備するカメラと、
前記カメラの光学ファインダに表示された被写体像を撮像可能な撮像部と、前記コンピューターと電気通信可能に接続された撮像装置接続端子と、前記撮像装置接続端子に前記撮像部により撮像されたファインダ画像データを送信する制御部とを具備する撮像装置と、
前記カメラ接続端子および前記撮像装置接続端子と接続され電気通信可能なコンピュータ接続端子と、前記カメラから受信した撮像素子画像データと、前記撮像装置から受信したファインダ画像データとに表示される被写体のズレ量を検出するコンピュータ画像処理部と、前記ズレ量に応じて前記カメラの第一又は第二のいずれかの直線又は列状の指標を示す選択表示データを前記コンピュータ接続端子を経て前記カメラ接続端子に出力する制御部とを具備するコンピューターとから構成される。
【発明の効果】
【０００８】
本発明を適用したカメラは、基準線表示に合わせて被写体を撮像した際に、撮像した被写体画像のズレを最小限とすることができる。
【発明を実施するための最良の形態】
【０００９】
デジタルカメラ１の中央断面図を図１に示す。図示のごとくデジタルカメラ１は、撮影レンズ２を着脱可能な一眼レフカメラであり、クイックリターンミラー３のミラーダウン状態が示されている。撮像レンズ２を透過した被写体像光束は、クイックリターンミラー３により上方へ反射され、フォーカシングスクリーン４に結像する。フォーカシングスクリーン４に結像した被写体像は、液晶表示装置５、ペンタプリズム６、接眼光学系７をへて接眼ファインダ窓８より観察される。なお、クイックリターンミラー３は図１に示したミラーダウン状態と、被写体像光束から退避するミラーアップ状態（不図示）との間を駆動可能である。クイックリターンミラー３後方には、シャッター９、光学式ローパスフィルター１０、撮像素子１１が配置されている。撮影構図が決められ撮影者が不図示のレリーズボタンを操作することによってクイックリターンミラー３がミラーアップ状態に移行およびシャッター９のシャッターが開口し、交換レンズ２を通過した被写体像光束がシャッター９、光学ローパスフィルター１０を透過し撮像素子１１に結像される。
【００１０】
フォーカシングスクリーン４の結像面と撮像素子１１の結像面とはクイックリターンミラー３に対して共役な位置となるよう配置されている。そのため、ユーザーは、接眼ファインダ窓８で撮像される被写体の構図を確認し、不図示のレリーズ釦を操作するとことにより、接眼ファインダ窓８より観察した被写体像を、撮像素子１１により被写体像を撮像できる。
【００１１】
しかし、部品誤差や組み立て誤差等により、上記共役関係が僅かに崩れる、つまり接眼ファインダ窓８により観察された被写体像と、実際に撮像素子１１により撮像される撮像画像とにズレが生ずる場合がある。液晶表示装置５により格子線表示を行い撮影した場合は、上記ズレ量、特に傾きがある場合では、該ズレ量がわずかであってもその影響が大きな問題となる。そのため、本実施の形態におけるデジタルカメラ１は、液晶表示装置５による格子線表示を複数パターン用意し、上記ズレに合わせて該格子線表示の複数パターンより最適な格子線表示パターンを格子線表示に用いる（つまり各パターンを排他的に表示するように）よう設定できる。
【００１２】
以下、液晶表示装置５によって表示される格子線表示について説明する。本実施の形態におけるデジタルカメラ１では、複数の直線からなるパターンA、パターンB、パターンCの３つのパターンの格子線の表示が可能である。液晶表示装置５にパターンAを表示した様子を図２に、すべてのパターンを表示した様子を図３に示す。
【００１３】
図において、１０１A〜Cは水平方向に伸びる２本の水平基準線および該水平基準線に対して垂直方向に伸びる２本の垂直基準線からなる格子線表示、１０２は焦点検出エリア表示、１０３は測光エリア表示、１０４A〜Cは、視野領域の４隅をしめす視野枠表示である。
【００１４】
パターンAが選択されると、焦点検出エリア１０２および測光エリア１０３と共に、水平方向および垂直方向に伸びる計４本の基準線からなる格子線１０１A、および視野領域の４隅を表す４つの視野枠１０４Aが表示される。パターンBが選択されると、焦点検出エリア１０２および測光エリア１０３と共に、水平方向および垂直方向に伸びる計４本の基準線からなる格子線１０１B、および視野領域の４隅を表す４つの視野枠１０４Bが表示される。パターンCが選択されると、焦点検出エリア１０２および測光エリア１０３と共に、水平方向および垂直方向に伸びる計４本の基準線からなる格子線格子線１０１C、および視野領域の４隅を表す４つの視野枠１０４Cが表示される。なお、視野領域を4本の直線を用いて長方形で表示しても良い。また、上述では格子線１０１、焦点検出エリア１０２、測光エリア１０３、視野枠１０４を実線で表示したがこれに限るものではなく、点線、破線等で表示しても良い。さらに所定のマーク（指標）を直線状（列状）に並べて基準となる線を表現しても良い。デジタルカメラ１における液晶表示装置５は周知のポリマーネットワーク液晶表示装置であり、上記各パターンの格子線１０１、焦点検出エリア１０２、測光エリア１０３、視野枠１０４の表示領域は透明パターンにより不図示の液晶ドライバに接続され、各所定の表示領域の表示のON／OFF（光の透過／非透過）が制御されている。
【００１５】
パターンBの格子線１０１Bおよび鍵括弧１０４Bは、パターンAの格子線１０１Aに対し、測光領域１０２を中心にそれぞれ時計周りに１度回転して表示される。パターンCの格子線１０１Cおよび鍵括弧１０４Cは、パターンAの格子線１０１Aに対し、測光領域１０２を中心にそれぞれ反時計周りに１度回転して表示される。
＜格子線パターンの選択＞
次に、上述したパターンA〜Cの格子線の選択方法について説明する。なお、以下の方法は、例えば工場出荷前の調整作業で行われると有効である。
【００１６】
まず、液晶表示装置５にパターンAの格子線を表示させ、直線状の被写体もしくは直線が描かれた被写体の直線部分を格子線１０１Aのいずれかの直線部分と合わせて撮像する。例えばデジタルカメラ１を正位置に構え、水平線が表示された被写体を撮像する。撮像する際には該水平線と格子線１０１Aの水平方向の直線とを合わせて撮像する。
【００１７】
次に撮像された画像データの水平線と画像データの長辺との傾きを算出する。
該傾きは、上記画像データをプリントアウトした後計測してもよく、また、上記画像データをコンピューターにおいて傾き算出するプログラム等により処理することにより傾きを算出しても良い。
【００１８】
調整者は、算出された傾きに応じてもっともズレが少なくなる格子線のパターンを格子線表示の際に表示するよう設定する。例えば水平線が時計周りに所定値（例えば０．５度）以上傾いている場合は格子線パターンBを、反時計周りに所定値（例えば０．５度）以上傾いている場合は格子線パターンCを、それ以外（水平線の傾きが所定値未満）の場合は格子線パターンAを格子線表示に用いるようデジタルカメラ１を設定する。
【００１９】
なお、接眼ファインダ窓８より観察されるファインダ像を撮像装置２０で撮像し、該撮像装置２０で撮像されたファインダ像画像データと、デジタルカメラ１の撮像素子１１で撮像された画像データとをコンピューター等で比較し、求めた傾きよりデジタルカメラ１の格子線表示に用いるパターンをコンピューターにより設定しても良い。図４に、デジタルカメラ１のおよび撮像装置２０、コンピューター３０との接続を示す接続図を示す。デジタルカメラ１の側面には、外部機器との通信するための外部通信端子１２が設けられている。撮像装置２０は、CCDやCMOS等の撮像素子を有した撮像部２１により撮像した被写体画像信号を不図示の画像処理装部により処理し、画像データを作成する。作成された画像データは外部出力端子２２に出力される。なお、撮像装置２０として周知のデジタルカメラを用いても良い。コンピューター３０は、モニタ３１、キーボード３２、外部機器と通信するための外部通信端子３３、３４等がもうけられた周知のノート型コンピューターである。外部通信端子３３はデジタルカメラ１の外部通信端子３６と、外部通信端子３４は撮像装置２０の外部出力端子２２とは、それぞれ接続ケーブル４０により通信可能に接続されている。
【００２０】
格子線パターン設定の流れについて説明する。
調整用の被写体をデジタルカメラ１により撮像され、これと同時期に接眼ファインダ窓８から観察される前記被写体像が撮像装置２０により、撮像される。デジタルカメラ１および撮像装置２０は、それぞれ撮像された画像データをコンピューターに送信する。コンピューターは受信した画像データを照合しズレ量（傾き）を算出し、該ズレ量に合わせて格子線表示に用いるの格子線表示パターンを決定する。コンピューター３０は、該決定された格子線表示パターンを示す選択パターンデータ（選択表示データ）を接続されたデジタルカメラ１へ表示させる送信する。該選択パターンデータを受信したでデジタルカメラ１は、選択パターンデータが示す表示パターンの格子線を格子線表示に用いるよう設定する。なお、撮像する被写体としては、直線や格子線等の直線状の被写体もしくは直線や格子線等が描かれた被写体が良い。
【００２１】
コンピューター３０での処理について説明する。水平線の傾き（度）は、画像データの長辺に対して時計周りに回転している場合は＋、反時計周りに回転している場合は−で示し、範囲は−９０度〜９０度で考える。コンピューターは、算出された傾きが−０．５度〜＋０．５度の範囲にある場合は、格子線パターンAを設定し、算出された傾きが＋０．５度より大きい場合はパターンBの格子線を、算出された傾きが−０．５度より小さい場合はパターンCの格子線を、格子線表示に用いるようデジタルカメラ１の格子線表示に設定する。
【００２２】
なお、撮像装置２０にコンピューターを内臓し、撮像装置２０とデジタルカメラ１とを接続することにより自動的に格子線表示に用いるパターンを設定するとしても良い。
以上本実施の形態におるデジタルカメラ１は、部品誤差や組立誤差等により、ファインダスクリーン４の結像面と撮像素子１１の結像面とにズレが生じた場合であっても、液晶表示装置５の格子線表示のパターンを該ズレに応じて適切に選択することにができるため、液晶表示装置５に格子線を表示して撮像した際に、該格子線に合わせて撮像した撮像画像データの被写体が大きく傾く問題を容易に解決できる。さらに、ファインダスクリーン４又は撮像素子１１を微調整する場合と比べ、コスト的および作業コスト的に有利にとなる。
【００２３】
なお、上述では格子線の表示パターンとしてパターンA〜Cの３パターンを用いたが、パターンしては２パターン以上あれば良い。さらに各パターンを１度づつ回転させて表示させたが、パターンの相対的な角度差は部品誤差や組立誤差等を考慮して、最適な値に設定すれば良い。例えば０．１度刻みで回転した格子線パターンを設けても良い。これにより、製造する各デジタルカメラに応じて適切な補正が行える。
【００２４】
さらに、液晶表示装置としてポリマーネットワーク液晶を用いたがこれに限るものではない。また、格子線１０１、焦点検出エリア１０２、測光エリア１０３、視野枠１０４等の表示領域をドットマトリクス表示によって表示しても良い。これにより、より精度良くズレに合わせて表示可能となる。
【００２５】
また、液晶表示装置５に格子線を表示することにより、該格子線をファインダスクリーン４に結像された被写体像と重ねて表示したが、格子線表示と被写体像とを重ねて表示させる表示方法はこれに限るものではない。例えば、接眼光学系７とペンタプリズム６との間や、接眼光学系７と接眼ファインダ窓との間、接眼光学系７のレンズ間当に重畳装置を配置し、該重畳装置によって格子線表示を被写体像に重ねて表示しても良い。また、上記格子線および視野枠等を液晶表示装置によりドットマトリクス表示により表しても良い。この場合、上述したズレ量に応じたより最適な格子線、視野枠の表示かできる。
【００２６】
以上、本発明をデジタル一眼レフカメラに適用した場合について説明したがこれに限るものでは無い。例えば、銀塩一眼レフカメラや、レンズ一体型コンパクトカメラ、ビデオカメラ等に適用しても良い。
【図面の簡単な説明】
【００２７】
【図１】デジタルカメラ１の中央断面図
【図２】パターンAの格子線を表示した際のファインダ表示
【図３】すべてのパターンの格子線表示を表示した際のファインダ表示
【図４】デジタルカメラ１と撮像装置２０、コンピューター３０の接続図
【符号の説明】
【００２８】
１  デジタルカメラ
３  クイックリターンミラー
４  フォーカシングスクリーン
５  液晶表示装置
６  ペンタプリズム
７  接眼光学系
８  接眼ファインダ窓
１１  撮像素子
２０  撮像装置
【図１】
2007086151.tif 000003
【図２】
2007086151.tif 000004
【図３】
2007086151.tif 000005
【図４】
2007086151.tif 000006